(57)【要約】【課題】  鞄が重い時や、雨の日で傘を持つなど手が使えない時には、鞄を肩から下げられるショルダーストラップは便利である。しかし使わない時は、鞄からダラリと垂れ下がり見っとも無い。チョット肩から外した時などいちいちしまうのは面倒だが、そのままだと地面を擦って汚れたり磨り減ったりする。  ショルダーストラップを使わない時には、自動的に引き込む簡易な機構で、かつ鞄の構造に関係なく従来のショルダーストラップと簡単に置き換えられる物が要望されている。【解決手段】  本発明は図1（ａ）に示す通り、折り返されたストラップ（１）が通ったリング（２）をゴム等の伸縮部材（３）で引っ張る構造により、ゴム等の伸縮部材（３）の伸縮距離の二倍の長さのストラップ（１）を引き込む事ができる。図1（ｂ）はストラップが引き出された状態を示す。【選択図】  図１
2008073310.tif 000002
【特許請求の範囲】
【請求項１】
ストラップ（１）はその一端（１ａ）から内側に設けられたリング（２）を通ってストラップ（１ｃ）に折り返し、ストラップ（１ｃ）とストラップ（１ｄ）間は固定的に維持されストラップ（１ｂ）に繋がり、
ストラップ（１ｄ）近辺または外装などに固着されたゴム等の伸縮部材（３）は前記リング（２）に固着されて構成されるストラップ装置。
【請求項２】
ストラップ（１）はその一端（１ａ）から内側に設けられたリング（２ａ）を通ってストラップ（１ｃ）に折り返し、ストラップ（１ｃ）とストラップ（１ｄ）間は固定的に維持され、ストラップ（１ｄ）を通り内側に設けられたリング（２ｂ）を通ってストラップ（１ｂ）に折り返し、
ストラップ（１ｄ）近辺または外装などに固着されたゴム等の伸縮部材（３ａ）は前記リング（２ａ）に固着され、ストラップ（１ｃ）近辺または外装などに固着されたゴム等の伸縮部材（３ｂ）は前記リング（２ｂ）に固着されて構成されるストラップ装置。
【請求項３】
ストラップ（１）はその一端（１ａ）から外装（４）の開口部（４ｊ）を通りその内側に設けられたリング（２）を通って折り返し、外装（４）の開口部（４ｃ）を抜けて開口部（４ｄ）を通り、外装（４）の開口部（４ｋ）を通りストラップ（１ｂ）に繋がり、
外装（４）の開口部（４ｊ）の近くに固着されたゴム等の伸縮部材（３）は、外装（４）の開口部（４ｋ）付近に設けられたリングまたは棒状の部材（５）を通り前記リング（２）に固着されて構成されるストラップ装置。
【請求項４】
ストラップ（１）はその一端（１ａ）から外装（４）の開口部（４ｊ）を通りその内側に設けられたリング（２ａ）を通って折り返し、板状の部材（６）の一端（６ａ）から板状の部材（６）に設けられた開口部（６ｃ）を抜けて他の一端（６ｂ）で折り返し、内側に設けられたリング（２ｂ）を通って外装（４）の開口部（４ｋ）を抜けてストラップ（１ｂ）に繋がり、
板状の部材（６）の一端（６ａ）付近に固着されたゴム等の伸縮部材（３ａ）は、板状の部材（６）の一端（６ｂ）付近または外装（４）の開口部（４ｋ）付近に設けられたリングまたは棒状の部材（５ａ）を通り前記リング（２ａ）に固着され、板状の部材（６）の一端（６ｂ）付近に固着されたゴム等の伸縮部材（３ｂ）は、板状の部材（６）の一端（６ａ）付近または外装（４）の開口部（４ｊ）付近に設けられたリングまたは棒状の部材（５ｂ）を通り前記リング（２ｂ）に固着されて構成されるストラップ装置。
【発明の詳細な説明】
【技術分野】
【０００１】
本発明は、鞄等のショルダーストラップを、必要な時に簡単に引き出せて、不要な時に自動的に引き込む技術に関する。
【背景技術】
【０００２】
鞄を肩から下げる時には便利なショルダーストラップも使わない時は邪魔になる。そこで手動ではあるがショルダーストラップを伸縮できる物が市販されている。（例えば特許文献１参照）。また鞄にショルダーストラップの巻き取り機構を内包した物が市販されている。（例えば特許文献２参照）。
【０００３】
【特許文献１】特開２００２−３４５５３５号公報
【特許文献２】特開２００２−２５３３２７号公報
【発明の開示】
【発明が解決しようとする課題】
【０００４】
鞄が重くて手が疲れる時や、雨の日には傘を持つなど手が使えない時には、鞄を肩から下げられるショルダーストラップは便利である。しかしながら使わない時は、鞄からダラリと垂れ下がり見っとも無い。チョット肩から外した時などいちいちしまうのは面倒だが、そのままだと地面を擦って汚れたり磨り減ったりする。また電車の棚に置くとショルダーストラップがれ下がり迷惑なものである。
ショルダーストラップを使わない時には、自動的に引き込む簡易な機構で、かつ鞄の構造に関係なく従来のショルダーストラップと簡単に置き換えるれる物が要望されている。
【課題を解決するための手段】
【０００５】
本発明は図1及び図２に示す通り、折り返されたストラップ（１）が通ったリング（２）をゴム等の伸縮部材（３）で引っ張る構造により、ゴム等の伸縮部材（３）の伸縮距離の二倍の長さのストラップ（１）を引き込む事ができる。
【発明の効果】
【０００６】
本発明のストラップ（１）は、使わない時はリング（２）をゴム等の伸縮部材（３）で引っ張る事によりストラップ（１）を引き込み収納して、肩掛け使用時にはゴム等の伸縮部材（３）が伸びて、その長さの二倍のストラップ（１）が繰り出され肩に掛けられる長さとなる。また片側だけでなく両側二倍引き込み型ではその長さの四倍のストラップ（１）を繰り出したり引き込んだりできて十分な長さを確保できる。
これにより使う時にはストラップ（１）が素早く伸びて、使わない時は自動的に引き込む事ができる。従って使わない時にいちいちしまう面倒さが無くなり、鞄からダラリと垂れ下がるような見っとも無い事も無くなる。
【発明を実施するための最良の形態】
【０００７】
図５に示す請求項３に係る実施例４及び、図６に示す請求項４に係る実施例５
【実施例１】
【０００８】
本発明の基本的な動作を実施例１の断面を示す図１（ａ）と（ｂ）、及び斜視図の図２（ａ）と（ｂ）により説明する。構造は、ストラップ（１）がその一端（１ａ）から内側に設けられたリング（２）を通ってストラップ（１ｃ）に折り返し、ストラップ（１ｃ）とストラップ（１ｄ）間は固定的に維持されストラップ（１ｂ）に繋がり、
ストラップ（１ｄ）近辺または外装などに固着されたゴム等の伸縮部材（３）は前記リング（２）に固着されて構成される。
図１（ａ）と図２（ａ）はストラップ（１）に力が加わっていない場合で、肩掛けとして使っていない時である。ゴム等の伸縮部材（３）の収縮力によりリング（２）が引き込まれている状態で、ストラップ（１）が１ａから１ｃにおいてリング（２）により、二つ折りに引き込まれている。二つ折りで引き込まれるので、ゴム等の伸縮部材（３）の伸縮距離の二倍の長さを引き込める。
図１（ｂ）と図２（ｂ）はストラップ（１）に力が加わっている場合で、肩掛けとして使っている時である。ストラップ（１）に加わった力でリング（２）が引き出されている状態で、ゴム等の伸縮部材（３）が引き伸ばされて、ストラップ（１）が引き出されている。  二つ折りに引き込まれていたストラップ（１）が引き出されるので、ゴム等の伸縮部材（３）の伸縮距離の２倍の長さを引きだせる、片側引出型である。
図１（ｂ）と図２（ｂ）の状態からストラップ（１）に更に力が加わると、ストラップ（１）の１ｃの箇所での折り曲がりが真っ直ぐな状態となる。重い鞄の力はストラップ（１）にのみ加わり、他の部材であるリング（２）とゴム等の伸縮部材（３）にはその力は加わらず、該部材の強度は鞄の重量を保持する必要がなく安価な素材を用いる事ができる。
【実施例２】
【０００９】
本発明の実施例２を示す図３（ａ）と（ｂ）は、前記の実施例１を上下に配置して構成される断面図である。
ストラップ（１）はその一端（１ａ）から内側に設けられたリング（２ａ）を通ってストラップ（１ｃ）に折り返し、ストラップ（１ｃ）とストラップ（１ｄ）間は固定的に維持され、ストラップ（１ｄ）を通り内側に設けられたリング（２ｂ）を通ってストラップ（１ｂ）に折り返し、
ストラップ（１ｄ）近辺または外装などに固着されたゴム等の伸縮部材（３ａ）は前記リング（２ａ）に固着され、ストラップ（１ｃ）近辺または外装などに固着されたゴム等の伸縮部材（３ｂ）は前記リング（２ｂ）に固着されて構成される。
図３（ａ）はストラップ（１）に力が加わっていない場合で、肩掛けとして使っていない時である。ゴム等の伸縮部材（３ａ）と（３ｂ）の収縮力によりリング（２ａ）と（２ｂ）が引き込まれている状態で、ストラップ（１）が（１ａ）から（１ｃ）及び（１ｂ）から（１ｄ）においてリング（２ａ）と（２ｂ）により、それぞれ二つ折りに引き込まれている。両側から二つ折りで引き込まれるので、ゴム等の伸縮部材（３ａ）または（３ｂ）の伸縮距離の４倍の長さを引き込める。
図３（ｂ）はストラップ（１）に力が加わっている場合で、肩掛けとして使っている時である。ストラップ（１）に加わった力でリング（２ａ）と（２ｂ）が引き出されている状態で、ゴム等の伸縮部材（３ａ）と（３ｂ）が引き伸ばされて、ストラップ（１）が引き出されている。
二つ折りに引き込まれていたストラップ（１）が上下の構成から両側にそれぞれ引き出されるので、ゴム等の伸縮部材（３ａ）または（３ｂ）の伸縮距離の４倍の長さを引きだせる、両側引出型である。
図３（ｂ）の状態からストラップ（１）に更に力が加わると、ストラップ（１）の１ｃ及び１ｄ付近の箇所での折り曲がりが真っ直ぐな状態となる。重い鞄の力はストラップ（１）にのみ加わり、他の部材であるリング（２ａ）と（２ｂ）とゴム等の伸縮部材（３ａ）と（３ｂ）にはその力は加わらず、該部材の強度は鞄の重量を保持する必要がなく安価な素材を用いる事ができる。
【実施例３】
【００１０】
本発明の実施例３を示す図４（ａ）と（ｂ）は、実施例２を斜めに配置して、外装（４）を構造部材として利用する構成の断面図である。
ストラップ（１）はその一端（１ａ）から外装（４）の開口部（４ｊ）を通りその内側に設けられたリング（２ａ）を通って折り返し、外装（４）の開口部（４ｊ）を通って開口部（４ｂ）から外装（４）の内部を抜けて開口部（４ａ）を通り、外装（４）の開口部（４ｋ）を通り内側に設けられたリング（２ｂ）を通って外装（４）の開口部（４ｋ）を通りストラップ（１ｂ）に折り返し、
外装（４）の開口部（４ａ）の近くに固着されたゴム等の伸縮部材（３ａ）は該リング（２ａ）に固着され、外装（４）の開口部（４ｂ）付近に固着されたゴム等の伸縮部材（３ｂ）は該リング（２ｂ）に固着されて構成される。
図４（ａ）はストラップ（１）に力が加わっていない場合で、肩掛けとして使っていない時である。ゴム等の伸縮部材（３ａ）と（３ｂ）の収縮力によりリング（２ａ）と（２ｂ）が引き込まれている状態で、ストラップ（１）が（１ａ）から（４ｂ）及び（１ｂ）から（４ａ）においてリング（２ａ）と（２ｂ）により、それぞれ二つ折りに引き込まれている。両側から二つ折りで引き込まれるので、ゴム等の伸縮部材（３ａ）または（３ｂ）の伸縮距離の４倍の長さを引き込める。
図４（ｂ）はストラップ（１）に力が加わっている場合で、肩掛けとして使っている時である。ストラップ（１）に加わった力でリング（２ａ）と（２ｂ）が引き出されている状態で、ゴム等の伸縮部材（３ａ）と（３ｂ）が引き伸ばされて、ストラップ（１）が引き出されて、二つ折りに引き込まれていたストラップ（１）が外装（４）の開口部（４ｊ）と（４ｋ）からそれぞれに引き出されるので、ゴム等の伸縮部材（３ａ）または（３ｂ）の伸縮距離の４倍の長さを引きだせる、両側引出型である。
図４（ｂ）の状態からストラップ（１）に更に力が加わると、ストラップ（１）の（４ａ）及び（４ｂ）付近の箇所での折り曲がりが真っ直ぐな状態となる。重い鞄の力はストラップ（１）にのみ加わり、他の部材であるリング（２ａ）と（２ｂ）とゴム等の伸縮部材（３ａ）と（３ｂ）にはその力は加わらず、該部材の強度は鞄の重量を保持する必要がなく安価な素材を用いる事ができる。
【実施例４】
【００１１】
本発明の実施例４を示す図５（ａ）と（ｂ）は、実施例１のゴム等の伸縮部材（３）の伸縮距離を長くするためにリングまたは棒状の部材（５）を配置した構造である。
ストラップ（１）はその一端（１ａ）から外装（４）の開口部（４ｊ）を通りその内側に設けられたリング（２）を通って折り返し、外装（４）の開口部（４ｃ）を抜けて開口部（４ｄ）を通り外装（４）の内部へ入り、外装（４）の開口部（４ｋ）を通りストラップ（１ｂ）に繋がり、
外装（４）の開口部（４ｊ）の近くに固着されたゴム等の伸縮部材（３）は、外装（４）の開口部（４ｋ）付近に設けられたリングまたは棒状の部材（５）を通り前記リング（２）に固着されて構成される。
図５（ａ）はストラップ（１）に力が加わっていない場合で、肩掛けとして使っていない時である。ゴム等の伸縮部材（３）の収縮力によりリング（２）が引き込まれている状態で、ストラップ（１）が（１ａ）から（４ｃ）においてリング（２）により、二つ折りに引き込まれている。二つ折りで引き込まれるので、ゴム等の伸縮部材（３）の伸縮距離の二倍の長さを引き込める。
図５（ｂ）はストラップ（１）に力が加わっている場合で、肩掛けとして使っている時である。ストラップ（１）に加わった力でリング（２）が引き出されている状態で、ゴム等の伸縮部材（３）が引き伸ばされて、ストラップ（１）が引き出されている。  二つ折りに引き込まれていたストラップ（１）が引き出されるので、ゴム等の伸縮部材（３）の伸縮距離の２倍の長さを引きだせる。ここでリングまたは棒状の部材（５）によりゴム等の伸縮部材（３）が折り返されて伸縮距離が外装（４）の長さに匹敵して、前記実施例１におけるゴム等の伸縮部材（３）の伸縮距離の約２倍となる、２倍長片側引出型である。
図５（ｂ）の状態からストラップ（１）に更に力が加わると、ストラップ（１）の（４ｃ）の箇所での折り曲がりが真っ直ぐな状態となる。重い鞄の力はストラップ（１）にのみ加わり、他の部材であるリング（２）とゴム等の伸縮部材（３）及び外装（４）とリングまたは棒状の部材（５）にはその力は加わらず、該部材の強度は鞄の重量を保持する必要がなく安価な素材を用いる事ができる。
【実施例５】
【００１２】
本発明の実施例５を示す図６（ａ）と（ｂ）は、実施例４を上下に配置した構造である。
ストラップ（１）はその一端（１ａ）から外装（４）の開口部（４ｊ）を通りその内側に設けられたリング（２ａ）を通って折り返し、板状の部材（６）の一端（６ａ）から板状の部材（６）に設けられた開口部（６ｃ）を抜けて他の一端（６ｂ）で折り返し、内側に設けられたリング（２ｂ）を通って外装（４）の開口部（４ｋ）を抜けてストラップ（１ｂ）に繋がり、
板状の部材（６）の一端（６ａ）付近に固着されたゴム等の伸縮部材（３ａ）は、板状の部材（６）の一端（６ｂ）付近または外装（４）の開口部（４ｋ）付近に設けられたリングまたは棒状の部材（５ａ）を通り前記リング（２ａ）に固着され、板状の部材（６）の一端（６ｂ）付近に固着されたゴム等の伸縮部材（３ｂ）は、板状の部材（６）の一端（６ａ）付近または外装（４）の開口部（４ｊ）付近に設けられたリングまたは棒状の部材（５ｂ）を通り前記リング（２ｂ）に固着されて構成される。
図６（ａ）はストラップ（１）に力が加わっていない場合で、肩掛けとして使っていない時である。ゴム等の伸縮部材（３ａ）と（３ｂ）の収縮力によりリング（２ａ）と（２ｂ）が引き込まれている状態で、ストラップ（１）が（１ａ）から（６ａ）及び（１ｂ）から（６ｂ）においてリング（２ａ）と（２ｂ）により、それぞれ二つ折りに引き込まれている。両側から二つ折りで引き込まれるので、ゴム等の伸縮部材（３ａ）または（３ｂ）の伸縮距離の４倍の長さを引き込める。
図６（ｂ）はストラップ（１）に力が加わっている場合で、肩掛けとして使っている時である。ストラップ（１）に加わった力でリング（２ａ）と（２ｂ）が引き出されている状態で、ゴム等の伸縮部材（３ａ）と（３ｂ）が引き伸ばされて、ストラップ（１）が引き出されている。
二つ折りに引き込まれていたストラップ（１）が外装（４）の開口部（４ｊ）と（４ｋ）からそれぞれに引き出されるので、ゴム等の伸縮部材（３ａ）または（３ｂ）の伸縮距離の４倍の長さを引きだせる。ここでリングまたは棒状の部材（５ａ）および（５ｂ）によりゴム等の伸縮部材（３ａ）と（３ｂ）の伸縮距離が外装（４）の長さに匹敵して、前記実施例１におけるゴム等の伸縮部材（３）の伸縮距離の約２倍となる、２倍長両側引出型である。
図６（ｂ）の状態からストラップ（１）に更に力が加わると、ストラップ（１）の（６ａ）及び（６ｂ）付近の箇所での折り曲がりが真っ直ぐな状態となる。重い鞄の力はストラップ（１）にのみ加わり、他の部材であるリング（２ａ）と（２ｂ）とゴム等の伸縮部材（３ａ）と（３ｂ）と外装（４）及びリングまたは棒状の部材（５）と板状の部材（６）にはその力は加わらず、該部材の強度は鞄の重量を保持する必要がなく安価な素材を用いる事ができる。
【００１３】
図７は、上記実施例５を示す図６における板状の部材（６）とリングまたは棒状の部材（５ａ）と（５ｂ）の他の構成例である。
板状の部材（６）の一端（６ａ）の外側にリング状に部材（５ｂ）の機能をもたせ、他の一端（６ｂ）の外側にリング状に部材（５ａ）の機能をもたせて一体化させ、部材数を削減し、部材費を減少させ、製造コストを低く抑えることができる構成である。
【００１４】
外装（４）の形状は、角筒状や円筒状、両端が開口するものや、両端にストラップ（１）を通すスリットを設けたもの、及び前記形状の中間的な形状等の色々な形を取る事が出来る。実施例３ないし実施例５の構成部材を内包しストラップ（１）を引き出せる物であればどんな形状でも構わない。
【００１５】
図８は鞄（８）に本発明品を装着した図である。主に通常の片側引出型を配置した場合や、両側引出型を配置してストラップ（１）を長く引き出したい場合に使われる。
図９は鞄（８）に本発明品を装着した他の例である。主に両側引出型を配置する場合に使われ、肩当てパッドの機能も合わせ持たす場合に使われる。
【図面の簡単な説明】
【００１６】
【図１】実施例１の断面図である。
【図２】実施例１の斜視図である。
【図３】実施例２の断面図である。
【図４】実施例３の断面図である。
【図５】実施例４の断面図である。
【図６】実施例５の断面図である。
【図７】板状の部材（６）の上面図である。
【図８】本発明品を鞄に装着した実施例の図である。
【図９】本発明品を鞄に装着した他の実施例の図である。
【符号の説明】
【００１７】
１・・・・・・・・・・・・・・・・・ストラップ
１ａ，１ｂ，１ｃ，１ｄ・・・・・・・ストラップの位置
２，２ａ，２ｂ・・・・・・・・・・・リング
３，３ａ，３ｂ・・・・・・・・・・・ゴム等の伸縮部材
４・・・・・・・・・・・・・・・・・外装
４ａ，４ｂ，４ｃ，４ｄ，４ｊ，４ｋ・外装の開口部
５，５ａ，５ｂ・・・・・・・・・・・リングまたは棒状の部材
６・・・・・・・・・・・・・・・・・板状の部材
６ａ，６ｂ・・・・・・・・・・・・・板状の部材の端部
６ｃ・・・・・・・・・・・・・・・・板状の部材の開口部
７・・・・・・・・・・・・・・・・・本発明品
８・・・・・・・・・・・・・・・・・鞄
【図１】
2008073310.tif 000003
【図２】
2008073310.tif 000004
【図３】
2008073310.tif 000005
【図４】
2008073310.tif 000006
【図５】
2008073310.tif 000007
【図６】
2008073310.tif 000008
【図７】
2008073310.tif 000009
【図８】
2008073310.tif 000010
【図９】
2008073310.tif 000011